(57)【特許請求の範囲】
【請求項１】
無線通信網の基地局を介して無線通信によってデータの送受信を行う無線通信手段と、
少なくとも基地局との通信を確立するための設定情報とコンテンツの所在情報を、特定エリアに対して使用者が入退場する場所に設けた情報提供部から近距離通信により取得可能な近距離通信手段と、
前記近距離通信手段が取得した前記設定情報を基に、前記無線通信手段と前記基地局との通信を確立する通信確立手段と、
前記近距離通信手段が取得したコンテンツの所在情報を基に、前記無線通信網に接続されているサーバからコンテンツを取得するコンテンツ取得手段と、
前記コンテンツ取得手段が取得したコンテンツ情報を使用者に報知するコンテンツ情報報知手段と、を備え、
前記近距離通信手段は、前記特定エリアに配置された物品に関連するコンテンツの所在情報を複数取得し、
前記近距離通信手段が取得した複数のコンテンツの所在情報を使用者に対して選択可能に報知する選択報知手段をさらに有し、
前記コンテンツ取得手段は、前記選択報知手段により選択された何れかのコンテンツの所在情報を基に、前記無線通信網に接続されているサーバからコンテンツを取得する
ことを特徴とする携帯通信端末。
【請求項２】
前記近距離通信手段は、前記コンテンツの所在情報を複数取得する際に、その所在情報の優先順位の情報も取得することを特徴とする請求項１に記載した携帯通信端末。
【請求項３】
前記近距離通信手段が取得した前記設定情報を記憶する記憶部をさらに有し、
前記通信確立手段は、前記近距離通信手段が取得した前記設定情報を基に、前記無線通信手段と前記基地局との通信を確立することを特徴とする請求項１又は請求項２に記載の携帯通信端末。
【請求項４】
無線通信網に接続され、コンテンツを記憶するサーバと、
前記無線通信網の基地局を介して無線通信によってデータの送受信が可能となる特定エリアに対して使用者が入退場する場所に設置され、前記基地局との通信を確立するための設定情報、及び前記コンテンツの所在情報を提供する情報提供部と、
前記基地局を介して無線通信によってデータの送受信を行う無線通信手段、前記情報提供部から近距離通信により情報を取得可能な近距離通信手段、前記近距離通信手段が取得した前記設定情報を基に、前記無線通信手段と前記基地局との通信を確立する通信確立手段、前記近距離通信手段が取得したコンテンツの所在情報を基に、前記サーバからコンテンツを取得するコンテンツ取得手段、及び前記コンテンツ取得手段が取得したコンテンツ情報を使用者に報知するコンテンツ情報報知手段を有する携帯通信端末と、
を有し、
前記近距離通信手段は、前記特定エリアに配置された物品に関連するコンテンツの所在情報を複数取得し、
前記携帯通信端末は、前記近距離通信手段が取得した複数のコンテンツの所在情報を使用者に対して選択可能に報知する選択報知手段をさらに有し、
前記コンテンツ取得手段は、前記選択報知手段により選択された何れかのコンテンツの所在情報を基にコンテンツを取得する情報提供システム。
【請求項５】
無線通信網の基地局との通信を確立するための設定情報及び複数のコンテンツの所在情報を、特定エリアに対して使用者が入退場する場所に設けた情報提供部から近距離通信により携帯通信端末が取得し、
前記携帯通信端末が、取得した前記設定情報を基に、前記無線通信網の基地局との間の通信を確立し、
前記携帯通信端末が、通信を確立した前記基地局を介して、取得した前記複数のコンテンツの所在情報を基に、前記無線通信網に接続されているサーバからコンテンツを取得し、
前記携帯通信端末が、取得したコンテンツ情報を使用者に報知し、
前記複数のコンテンツは、前記特定エリアに配置された物品に関連するコンテンツであることを特徴とする情報提供方法。
【発明の詳細な説明】
【技術分野】
【０００１】
本発明は、携帯通信端末、情報提供システム及び情報提供方法に関する。
【背景技術】
【０００２】
非接触通信の技術を利用して携帯通信端末により情報を取得する技術が様々ある（例えば特許文献１参照）。
【先行技術文献】
【特許文献】
【０００３】
【特許文献１】特開２００３−２４４０５９号公報
【発明の概要】
【発明が解決しようとする課題】
【０００４】
ところで、携帯通信端末は、無線ＬＡＮ（Local Area Network）上のサーバから情報を取得するために無線ＬＡＮに接続するには、その無線ＬＡＮのアクセスポイント（基地局）に応じた設定がなされている必要がある。
しかし、そのような設定は手作業により行う必要があり、さらには、携帯通信端末の使用者は、場所を移動した場合には、別のアクセスポイントに応じた設定を再度行う必要がある。
【０００５】
本発明の目的は、基地局との通信を確立する際の携帯通信端末における基地局に応じた設定を自動で行うことである。
【課題を解決するための手段】
【０００６】
前記課題を解決するために、請求項１に係る発明は、無線通信網の基地局を介して無線通信によってデータの送受信を行う無線通信手段と、少なくとも基地局との通信を確立するための設定情報とコンテンツの所在情報を、特定エリアに対して使用者が入退場する場所に設けた情報提供部から近距離通信により取得可能な近距離通信手段と、前記近距離通信手段が取得した前記設定情報を基に、前記無線通信手段と前記基地局との通信を確立する通信確立手段と、前記近距離通信手段が取得したコンテンツの所在情報を基に、前記無線通信網に接続されているサーバからコンテンツを取得するコンテンツ取得手段と、前記コンテンツ取得手段が取得したコンテンツ情報を使用者に報知するコンテンツ情報報知手段と、を備え、前記近距離通信手段は、前記特定エリアに配置された物品に関連するコンテンツの所在情報を複数取得し、前記近距離通信手段が取得した複数のコンテンツの所在情報を使用者に対して選択可能に報知する選択報知手段をさらに有し、前記コンテンツ取得手段は、前記選択報知手段により選択された何れかのコンテンツの所在情報を基に、前記無線通信網に接続されているサーバからコンテンツを取得することを特徴とする携帯通信端末である。
【０００７】
また、請求項２に係る発明は、請求項１の記載において、前記近距離通信手段は、前記コンテンツの所在情報を複数取得する際に、その所在情報の優先順位の情報も取得することを特徴とする携帯通信端末である。
【０００９】
また、請求項３に係る発明は、請求項１又は請求項２の記載において、前記近距離通信手段が取得した前記設定情報を記憶する記憶部をさらに有し、前記通信確立手段は、前記近距離通信手段が取得した前記設定情報を基に、前記無線通信手段と前記基地局との通信を確立することを特徴とする携帯通信端末である。
また、請求項４に係る発明は、無線通信網に接続され、コンテンツを記憶するサーバと、前記無線通信網の基地局を介して無線通信によってデータの送受信が可能となる特定エリアに対して使用者が入退場する場所に設置され、前記基地局との通信を確立するための設定情報、及び前記コンテンツの所在情報を提供する情報提供部と、前記基地局を介して無線通信によってデータの送受信を行う無線通信手段、前記情報提供部から近距離通信により情報を取得可能な近距離通信手段、前記近距離通信手段が取得した前記設定情報を基に、前記無線通信手段と前記基地局との通信を確立する通信確立手段、前記近距離通信手段が取得したコンテンツの所在情報を基に、前記サーバからコンテンツを取得するコンテンツ取得手段、及び前記コンテンツ取得手段が取得したコンテンツ情報を使用者に報知するコンテンツ情報報知手段を有する携帯通信端末と、を有し、前記近距離通信手段は、前記特定エリアに配置された物品に関連するコンテンツの所在情報を複数取得し、前記携帯通信端末は、前記近距離通信手段が取得した複数のコンテンツの所在情報を使用者に対して選択可能に報知する選択報知手段をさらに有し、前記コンテンツ取得手段は、前記選択報知手段により選択された何れかのコンテンツの所在情報を基にコンテンツを取得する情報提供システムである。
【００１０】
また、請求項５に係る発明は、無線通信網の基地局との通信を確立するための設定情報及び複数のコンテンツの所在情報を、特定エリアに対して使用者が入退場する場所に設けた情報提供部から近距離通信により携帯通信端末が取得し、前記携帯通信端末が、取得した前記設定情報を基に、前記無線通信網の基地局との間の通信を確立し、前記携帯通信端末が、通信を確立した前記基地局を介して、取得した前記複数のコンテンツの所在情報を基に、前記無線通信網に接続されているサーバからコンテンツを取得し、前記携帯通信端末が、取得したコンテンツ情報を使用者に報知し、前記複数のコンテンツは、前記特定エリアに配置された物品に関連するコンテンツであることを特徴とする情報提供方法である。
【発明の効果】
【００１１】
本発明によれば、近距離通信手段が情報提供部から取得した設定情報を基に、無線通信手段と基地局との通信を確立することにより、無線通信手段と基地局との通信を確立する際の携帯通信端末における基地局に応じた設定を自動で行うことができる。
【図面の簡単な説明】
【００１２】
【図１】本実施形態の情報提供システムの構成を示す図である。
【図２】ゲートの構成例を示す図である。
【図３】携帯通信端末の構成を示す図である。
【図４】携帯通信端末の外観を示す図である。
【図５】ＣＰＵの制御内容を機能ブロックとして示す図である。
【図６】不揮発性メモリへの情報の記憶態様の例を示す図である。
【図７】動作、作用等を説明する図である。
【図８】情報提供システムを適用して美術館において情報を提供する例を説明する図である。
【図９】２つのサイネージエリアＡ、Ｂに対応して、ＳＳＩＤ、鍵及びＵＲＬの各種情報が不揮発性メモリに記憶される例を示す図である。
【図１０】美術館への入館者が、所持する携帯通信端末からコンテンツの提供を受ける例を説明する図である。
【発明を実施するための形態】
【００１３】
（構成）
本実施形態は、情報提供システムである。
図１は、本実施形態の情報提供システム１の構成を示す。
図１に示すように、情報提供システム１は、ゲート１０、携帯通信端末２０、無線ＬＡＮ（Local Area Network）のアクセスポイント（基地局）３０、及びコンテンツサーバ４０を有する。
【００１４】
図２は、ゲート１０の構成例を示す。図２に示すように、リーダライタ（Ｒ／Ｗ）１１及び記憶部１２を有する。
リーダライタ１１は、後述のように、携帯通信端末２０がかざされると、携帯通信端末２０の非接触型ＩＣチップ２２との間で非接触による通信（又は近距離通信）を行い、記憶部１２に記憶されている情報を携帯通信端末２０に送信する。
【００１５】
記憶部１２には、無線ＬＡＮのアクセスポイント３０との通信を確立するのに必要な情報、具体的には、ＳＳＩＤ（Service Set IDentifier）及び鍵の各種情報が記憶されている。ここで、ＳＳＩＤは、アクセスポイント３０の識別子となる。また、鍵は、暗号化通信を行う際に必要となる情報である。例えば、このような鍵には、ＷＰＡ２（Wi-Fi Protected Access 2）で規定される鍵がある。
【００１６】
なお、本実施形態では、ＳＳＩＤや鍵の情報は、アクセスポイントとの無線通信を行う際に、該アクセスポイントに対応するものとして携帯通信端末２０側で設定が必要になる情報であるが、記憶部１２に記憶される情報は、そのようなアクセスポイントに対応するものとして携帯通信端末２０側で設定が必要になる情報であれば、これらのＳＳＩＤや鍵の情報に限定されないことは言うまでもない。
【００１７】
さらに、記憶部１２には、コンテンツの所在情報となる、ＵＲＬ（Uniform Resource Locator）の情報が記憶されている。
なお、ゲート１０は、アクセスポイント３０を介して無線通信によってデータの送受信が可能となるエリアに対して使用者が入退場する場所に設置されている。例えば、後述するように、ゲート１０は、アクセスポイントが設けられている美術館等の施設に配置されている。このゲート１０は、駅の改札口に有るように、該ゲート１０の通過を制限するような機械的構造を有していても良い。
【００１８】
携帯通信端末２０は、ゲート１０のリーダライタ１１との間で非接触による通信を行うこと、及びアクセスポイント３０を介してＬＡＮに接続することができるように構成されている。携帯通信端末２０の構成については後で詳述する。
コンテンツサーバ４０は、ＬＡＮやインターネット等の通信網５０に接続されており、要求に応じて携帯通信端末２０にコンテンツデータを送信する。
【００１９】
図３は、携帯通信端末２０の構成を示す。
図３に示すように、携帯通信端末２０は、ＣＰＵ２１、非接触型ＩＣチップ２２、アンテナ２３、通信部２４、不揮発性メモリ２５、出力用バッファメモリ２６、操作部２７、及び表示部２８を有する。
非接触型ＩＣチップ２２は、アンテナ２３を介して外部のリーダライタ（本実施形態ではゲート１０のリーダライタ１１）と通信を行い、データを取得する。例えば、非接触型ＩＣチップ２２は、ＮＦＣ（Near Field Communication）規格対応の非接触型ＩＣチップである。
【００２０】
不揮発性メモリ２５には、種々のデータ、プログラムが記憶される。本実施形態では、不揮発性メモリ２５には、非接触型ＩＣチップ２２が通信により取得した情報、すなわち、ＳＳＩＤ、鍵及びＵＲＬの各種情報が記憶される。
通信部２４は、アクセスポイント３０を介して通信を行う。本実施形態では、通信部２４は、不揮発性メモリ２５に記憶されたＳＳＩＤ及び鍵の情報を基にアクセスポイント３０と間で内蔵のアンテナ２４ａを介して通信を確立させてから、対象となるデータの送受信を行う。このとき、通信部２４は、不揮発性メモリ２５に記憶されたＵＲＬ（コンテンツサーバ４０）にアクセスして、コンテンツデータを取得する。
【００２１】
出力用バッファメモリ２６には、コンテンツデータが一時的に記憶される。本実施形態では、出力用バッファメモリ２６には、通信部２４を介して取得したコンテンツデータとしての文章データや静止画像データ、動画像データが記憶される。
操作部２８は、使用者により操作されて、操作に応じた情報が入力される。
表示部２８は、例えば液晶表示画面であり、各種情報が表示される。本実施形態では、出力用バッファメモリ２６に記憶された文章や静止画像、動画像が表示される。
【００２２】
図４は、携帯通信端末２０の外観を示す。
図４に示すように、携帯通信端末２０は、前記図３に示した構成が収納されている筐体２０ａの表面に操作部２７及び表示部２８を有する。
ＣＰＵ２１は、前述の構成を各種のプログラムやデータを用いて制御する。
図５は、ＣＰＵ２１の制御内容を機能ブロックとして示す。
【００２３】
図５に示すように、ＣＰＵ２１は、データ取得部６１、通信設定部６２、通信処理部６３、選択処理部６４、コンテンツデータ取得部６５、及び出力処理部６６を有する。
データ取得部６１は、非接触型ＩＣチップ２２によりＳＳＩＤ、鍵及びＵＲＬの各種情報を取得し、取得したそれら情報を不揮発性メモリ２５に記憶させる。
【００２４】
図６は、不揮発性メモリ２５への情報の記憶態様の例を示す。
図６に示すように、不揮発性メモリ２５には、ＳＳＩＤ、鍵及びＵＲＬの各種情報が対応して記憶される。また、この例では、２つのＵＲＬの情報を取得している。
また、データ取得部６１は、既に不揮発性メモリ２５に記憶しているアクセスポイントのものとは異なるアクセスポイントのＳＳＩＤ、鍵及びＵＲＬの各種情報をさらに得た場合、そのようにさらに得た各種情報も不揮発性メモリ２５にさらに記憶させていく。
【００２５】
通信設定部６２は、無線ＬＡＮによる通信を確立するための設定処理を行う。具体的には、通信設定部６２は、不揮発性メモリ２５に記憶されたＳＳＩＤ及び鍵の情報を基に、無線ＬＡＮによる通信を確立するための内部設定（例えば通信処理部６３の設定）をして、アクセスポイント３０にアクセスしてその通信を確立させる。
通信処理部６３は、通信部２４により外部装置との通信を行う。本実施形態では、通信処理部６３は、不揮発性メモリ２５に記憶されたＵＲＬのコンテンツサーバ４０にアクセスして、コンテンツサーバ４０からコンテンツデータを受信する。
【００２６】
また、図６に示すように、不揮発性メモリ２５にＵＲＬの情報が２つ又はそれ以上記憶されている場合、すなわち、ゲート１０から２つ又はそれ以上のＵＲＬの情報を取得した場合には、選択処理部６４は、表示部２８にそれら全てのＵＲＬそのもの、又はＵＲＬに対応するタイトルを選択可能に表示する。そして、この場合、通信処理部６３は、そのように表示部２８に表示され、操作部２７が操作されて選択された一のＵＲＬを基にコンテンツサーバ４０にアクセスしてコンテンツデータを受信する。
【００２７】
ＣＰＵ２１は、このように通信処理部６３により受信したコンテンツデータ（文書データ、静止画像データ、動画像データ等）を出力用バッファメモリ２６に記憶させる。
出力処理部６６は、出力用バッファメモリ２６に記憶されたコンテンツデータを基に、文章、静止画像又は動画像等の各種の情報を表示部２８に表示する。
【００２８】
（動作、作用等）
動作、作用等を図７を用いて説明する。
図７に示すように、携帯通信端末２０をゲート１０（リーダライタ１１）にタッチさせると、携帯通信端末２０は、非接触通信により、ゲート１０からＳＳＩＤ、鍵及びＵＲＬの各種情報を受信する。そして、携帯通信端末２０は、受信したＳＳＩＤ、鍵及びＵＲＬの各種情報を不揮発性メモリ２５に記憶する。
これにより、携帯通信端末２０は、不揮発性メモリ２５に記憶したＳＳＩＤ及び鍵の情報を基に、アクセスポイント３０との通信を確立させ、その後、その確立した通信の下、不揮発性メモリ２５に記憶したＵＲＬ（コンテンツサーバ４０）にアクセスして、コンテンツデータを受信する。
【００２９】
そして、携帯通信端末２０は、受信したコンテンツデータを出力用バッファメモリ２６に記憶して、記憶したコンテンツデータを基に、コンテンツ情報である文章、静止画像又は動画像等の各種の情報を表示部２８に表示（報知）する。
【００３０】
図８を用いて、前述の情報提供システムを適用して美術館において情報を提供する例を説明する。
図８に示すように、美術館に適用した情報提供システムでは、モバイルサイネージを実現できるように、美術館に設けられた複数のサイネージエリア（本実施形態の例では２つのサイネージエリアＡ、Ｂ）にアクセスポイント３０ａ，３０ｂ及びゲート１０ａ，１０ｂを複数セット（本実施形態の例では２セット）配置している。
【００３１】
これにより、美術館への入館者がサイネージエリアＡのゲート１０ａの通過時に、所持する携帯通信端末２０をゲート１０ａのリーダライタ１１にタッチさせると、携帯通信端末２０の不揮発性メモリ２５には、そのサイネージエリアＡのアクセスポイント３０ａに接続するためのＳＳＩＤ及び鍵の情報、並びにサイネージエリアＡの絵画等の美術品に関連するコンテンツを取得するためのＵＲＬの情報が記憶される。
【００３２】
そして、携帯通信端末２０は、不揮発性メモリ２５に記憶したＳＳＩＤ及び鍵の情報を基に、サイネージエリアＡのアクセスポイント３０ａとの通信を確立させ、その確立した通信の下、不揮発性メモリ２５に記憶したＵＲＬ（コンテンツサーバ４０）にアクセスして、コンテンツデータを受信する。
そして、携帯通信端末２０は、受信したコンテンツデータを出力用バッファメモリ２６に記憶して、記憶したコンテンツデータを基に、サイネージエリアＡの絵画等の美術品に関連する文章、静止画像又は動画像等の各種の情報を表示部２８に表示する。
【００３３】
また、美術館への入館者が別のサイネージエリアＢのゲート１０ｂの通過時に、所持する携帯通信端末２０をゲート１０ｂのリーダライタ１１にタッチさせると、携帯通信端末２０の不揮発性メモリ２５には、そのサイネージエリアＢのアクセスポイント３０ｂと接続するためのＳＳＩＤ及び鍵の情報、並びにサイネージエリアＢの絵画等の美術品に関連するコンテンツを取得するためのＵＲＬの情報が記憶される。
【００３４】
そして、携帯通信端末２０は、不揮発性メモリ２５に記憶したＳＳＩＤ及び鍵の情報を基に、サイネージエリアＢのアクセスポイント３０ｂとの通信を確立させ、その確立した通信の下、不揮発性メモリ２５に記憶したＵＲＬ（コンテンツサーバ４０）にアクセスして、コンテンツデータを受信する。
そして、携帯通信端末２０は、受信したコンテンツデータを出力用バッファメモリ２６に記憶して、記憶したコンテンツデータを基に、サイネージエリアＢの絵画等の美術品に関連する文章、静止画像又は動画像等の各種の情報を表示部２８に表示する。
【００３５】
例えば、同一人物が前述の２つのサイネージエリアＡ、Ｂ間を移動した場合、すなわち同一の携帯通信端末２０で２つのサイネージエリアＡ、Ｂ間を移動した場合には、図９に示すように、不揮発性メモリ２５には、２つのサイネージエリアＡ、Ｂに対応して、ＳＳＩＤ、鍵及びＵＲＬの各種情報が記憶される。例えば、不揮発性メモリ２５には、テーブルの態様とされて、サイネージエリア毎又はアクセスポイント毎にそれらの各種情報が記憶される。
【００３６】
以上のような情報提供システムにより、図１０に示すように、美術館への入館者は、自己が居るサイネージエリア内の絵画１００を説明する文章や画像等を、所持する携帯通信端末２０から提供を受けるようになる。
なお、前述の実施形態では、通信部２４は、例えば無線通信手段を実現している。また、リーダライタ１１及び記憶部１２は、例えば情報提供部を実現している。また、非接触型ＩＣチップ２２及びアンテナ２３は、例えば近距離通信手段を実現している。また、通信設定部６２は、例えば通信確立手段を実現している。また、コンテンツデータ取得部６５は、例えばコンテンツデータ取得手段を実現している。また、出力処理部６６及び表示部２８は、例えばコンテンツ情報報知手段を実現している。また、操作部２７、表示部２８及び選択処理部６４は、例えば選択報知手段を実現している。また、不揮発性メモリ２５は、例えば記憶部を実現している。
【００３７】
（効果）
前述のように、本実施形態では、ＳＳＩＤ及び鍵の情報をゲート１０のリーダライタ１１側に保持させて、携帯通信端末２０が、リーダライタ１１との間で非接触通信によりＳＳＩＤ及び鍵の情報を取得し、取得したＳＳＩＤ及び鍵の情報を基に、無線ＬＡＮのアクセスポイント３０との通信を確立させている。
【００３８】
これにより、本実施形態では、携帯通信端末２０（通信部２４）とアクセスポイント３０との通信を確立する際の携帯通信端末２０（通信部２４）における基地局に応じた設定を自動で行うことができる。
よって、本実施形態では、たとえ携帯通信端末２０がＳＳＩＤや鍵の設定情報を１つしか記憶できなかったり、１つしか設定することができなかったりするような場合に、異なるサイネージエリアに移動するなどしたときでも、その都度、アクセスポイントの設定を手入力することなく、自動的にその設定がなされるようになる。
【００３９】
また、本実施形態では、コンテンツのＵＲＬの情報をゲート１０のリーダライタ１１側に保持させて、携帯通信端末２０が、リーダライタ１１との間で非接触通信によりＵＲＬの情報を取得し、取得したＵＲＬの情報を基に、アクセスポイント３０との間で確立した通信の下、コンテンツサーバ４０からコンテンツデータを取得し、そのコンテンツ情報を使用者に報知している。
【００４０】
これにより、本実施形態では、携帯通信端末２０の使用者は、ゲート１０を通過するだけで、コンテンツのＵＲＬ等を手入力で設定することなく、無線ＬＡＮを介してコンテンツ情報の提供を受けることが可能になる。
また、本実施形態において、複数のコンテンツのＵＲＬの情報をゲート１０のリーダライタ１１側に保持させて、携帯通信端末２０では、リーダライタ１１との間で非接触通信により取得した複数のＵＲＬの情報の何れかを選択可能にしている。
【００４１】
これにより、本実施形態では、携帯通信端末２０の使用者は、好みのコンテンツ情報の提供を受けることが可能になる。
また、本実施形態では、複数のアクセスポイントに関するＳＳＩＤ及び鍵の情報を不揮発性メモリ２５に記憶し、携帯通信端末２０（通信設定部６２）は、不揮発性メモリ２５に記憶した複数のＳＳＩＤ及び鍵の情報の何れかを基に、無線ＬＡＮのアクセスポイント３０との通信を確立させている。
【００４２】
これにより、以前接続したアクセスポイントに再度接続するような場合でも、携帯通信端末２０は、ゲート１０からＳＳＩＤ及び鍵の情報を再度取得することなく、アクセスポイントに再度接続することができる。
よって、例えば、使用者が以前行ったことがあるサイネージエリアに立ち寄るような場合でも、携帯通信端末２０は、素早くそのサイネージエリアのアクセスポイントに接続することができる。
【００４３】
この場合、例えば、使用者は、再度接続するための予め決められた操作を操作部２７にするだけで、ゲート１０を通過することなく、又はゲート１０で携帯通信端末２０によるタッチ行為をすることなく、そのサイネージエリアにおいてコンテンツの提供を受けることができるようになる。
【００４４】
（実施形態の変形例）
本実施形態では、ゲート１０の記憶部１２に記憶されているアクセスポイント３０との通信を行うための情報が、アクセスポイント３０の情報を基に、自動的に書き換えられ又は更新されるようにすることもできる。この場合、ゲート１０は、ＣＰＵの機能等による書き換え処理部を備え、書き換え処理部が、サーバ等から取得したアクセスポイント３０の情報（変更情報）等を基に、記憶部１２の情報を書き換え又は更新する。
【００４５】
また、本実施形態では、携帯通信端末２０がコンテンツデータに基づく報知処理が終了したとき、別のコンテンツデータに基づく報知処理を行うか否かを使用者に選択させるための選択画面を表示部２８に表示することもできる。ここで、コンテンツデータに基づく報知処理の終了とは、文章や静止画像を一定時間表示したり、動画像の再生が終了したときである。また、別のコンテンツデータに基づく報知処理を行う場合としては、携帯通信端末２０が、ゲート１０のリーダライタ１１から複数のＵＲＬを取得しているような場合が考えられる。
【００４６】
また、本実施形態では、複数のＵＲＬを優先順位の情報とともにゲート１０のリーダライタ１１の記憶部１２に記憶することもできる。この場合、携帯通信端末２０は、リーダライタ１１から複数のＵＲＬの情報を取得した場合、その情報に付加されている優先順位の情報を基に、優先順位の高いＵＲＬにアクセスして、コンテンツデータを取得する。
また、本実施形態では、ゲート１０のリーダライタ１１からＵＲＬを１つだけ取得した場合、携帯通信端末２０は、手動により（使用者による許可の操作がなされた場合に限り）そのＵＲＬにアクセスしてコンテンツデータを取得することもできる。
【００４７】
また、本実施形態では、サイネージエリア内に別途リーダライタを設けておくこともできる。これにより、使用者は、ゲート１０のリーダライタ１１にタッチしてアクセスポイント３０との通信を確立させ、その後、美術品の近く（例えば絵画の掛けてある壁）に設置されている別のリーダライタにタッチすることで、そのリーダライタから取得したＵＲＬを基に、その美術品に関連するコンテンツ情報を取得できるようになる。
【００４８】
また、本実施形態では、リーダライタがゲート１０に設けられていることに限定されない。例えば、美術館であれば、美術品の近く（例えば絵画の掛けてある壁）にリーダライタを設置することができる。これにより、使用者は、携帯通信端末２０をリーダライタにタッチすることで、アクセスポイント３０との通信を確立させると同時に、その確立した通信によりコンテンツ情報を取得できるようになる。
【００４９】
また、本実施形態では、携帯通信端末２０は、美術館に設置される専用の携帯通信端末であっても良く、使用者が所有する携帯電話等の携帯通信端末であっても良い。また、携帯通信端末２０は、ＩＣカードのようなものであっても良い。
また、本実施形態では、携帯通信端末２０側がリーダライタを有して、ゲート１０が有するＩＣチップからＳＳＩＤ、鍵及びＵＲＬ等の各種情報を取得することもできる。
【００５０】
また、本実施形態では、美術館に限らず、他の施設にも適用することができる。
【符号の説明】
【００５１】
１  情報提供システム、１０  ゲート、１１  リーダライタ（情報提供部）、１２  記憶部（情報提供部）、２０  携帯通信端末、２１  ＣＰＵ、２２  非接触型ＩＣチップ（近距離通信手段）、２３  アンテナ（近距離通信手段）、２４  通信部（無線通信手段）、２５  不揮発性メモリ、２６  出力用バッファメモリ、２７  操作部（選択報知手段）、２８  表示部（コンテンツ情報報知手段、選択報知手段）、３０  アクセスポイント（基地局）、４０  コンテンツサーバ（サーバ）、６１  データ取得部、６２  通信設定部（通信確立手段）、６３  通信処理部、６４  選択処理部（選択報知手段）、６５  コンテンツデータ取得部（コンテンツデータ取得手段）、６６  出力処理部（コンテンツ情報報知手段）
【図１】
0005696471.tif 000002
【図２】
0005696471.tif 000003
【図３】
0005696471.tif 000004
【図４】
0005696471.tif 000005
【図５】
0005696471.tif 000006
【図６】
0005696471.tif 000007
【図７】
0005696471.tif 000008
【図８】
0005696471.tif 000009
【図９】
0005696471.tif 000010
【図１０】
0005696471.tif 000011